(57)【要約】【構成】手で握る把持部１００ａ、１００ｂと鼻孔の開拡部１０１ａ、１０１ｂとを有してなる２つのア−ム１ａ、１ｂを支点Ｘ（２）で固定してなる鼻鏡Ｎにおいて、２つのア−ム１ａ、１ｂの内部のバネ３を脱着可能に構成すると共に、２つのア−ム１ａ、１ｂ及びバネ３を合成樹脂により構成してなる鼻鏡Ｎ。【効果】合成樹脂製で、安価で、使い捨てにすることができるので、集団検診などでも衛生的で、バネを脱着可能に構成しているので、バネが劣化しそのバネ力が衰えたら新たなバネに交換可能なので、鼻の検診、治療などを行うときの作業性を阻害せず、又、当該鼻鏡の滅菌・消毒に際しては、当該バネを取り外して繰り返し滅菌や煮沸消毒などを行えるので、鼻鏡の分解・組立が容易で、滅菌・消毒が不充分となることがなくなった。【選択図】        図１
2010119455.tif 000002
【特許請求の範囲】
【請求項１】
手で握る把持部と鼻孔の開拡部とを有してなる２つのア−ムを支点で固定してなる鼻鏡において、当該２つのア−ムの内部のバネを脱着可能に構成すると共に、当該２つのア−ム及びバネを合成樹脂により構成してなることを特徴とする鼻鏡。
【請求項２】
２つのア−ムの支点を、合成樹脂製のピンにて固定してなることを特徴とする、請求項１に記載の鼻鏡。
【請求項３】
２つのア−ム側に各々突起部を設け、一方、バネ側に当該ア−ム側の突起部に対応できる穴部を設けてバネを脱着可能に構成してなることを特徴とする、請求項１又は２に記載の鼻鏡。
【請求項４】
バネが、円弧状に構成されてなることを特徴とする、請求項１、２又は３に記載の鼻鏡。
【請求項５】
バネが、角状に構成されてなることを特徴とする、請求項１、２又は３に記載の鼻鏡。
【発明の詳細な説明】
【技術分野】
【０００１】
本発明は、鼻鏡に関するものである。
【背景技術】
【０００２】
鼻鏡（鼻鏡器）は、鼻孔を拡げて、鼻の検診、治療などを行うときに使用されるやっとこ様の器具で、従来の鼻鏡は、金属製で、高価で、集団検診などでは、その都度、消毒液に浸漬してから診察しているが、複数の者に繰り返して使用するので、極めて不衛生であった。
鼻鏡には、和辻式や俣野式やハルトマン式やフレンケル式などがあるが、基本的には、その先端側で鼻孔内に挿入して鼻孔を拡げる開拡部と手元側で手で把持する把持部とを有してなり、当該把持部は、バネにより付勢されている。
当該把持部は、当該バネが使用により、劣化してきて、そのバネ力が衰えると、鼻の検診、治療などを行うときの作業性を悪化せしめる。従来の鼻鏡は、当該バネが、鼻鏡と一体化されて固定されているので、交換が不可能で、当該バネの劣化により、当該バネだけの新しいものの交換は出来ず、当該鼻鏡全体を処分せざるを得なかった。
又、当該鼻鏡の滅菌・消毒に際しては、繰り返し滅菌や煮沸消毒などが行われるが、従来の鼻鏡は、当該バネが、鼻鏡と一体化され固定化されているので、当該煮沸消毒や繰り返し滅菌に際して、当該バネの取り外し、分解・組立が容易に出来ず、滅菌・消毒が不充分となることがあった。
【発明の開示】
【発明が解決しようとする課題】
【０００３】
本発明は、上記のような従来技術の欠点を解消できる技術を提供することを目的としたものである。
本発明の他の目的および新規な特徴は以下の明細書及び図面の記載からも明らかになるであろう。
【課題を解決するための手段】
【０００４】
本発明の特許請求の範囲は、次の通りである。
（請求項１）  手で握る把持部と鼻孔の開拡部とを有してなる２つのア−ムを支点で固定してなる鼻鏡において、当該２つのア−ムの内部のバネを脱着可能に構成すると共に、当該２つのア−ム及びバネを合成樹脂により構成してなることを特徴とする鼻鏡。
（請求項２）    ２つのア−ムの支点を、合成樹脂製のピンにて固定してなることを特徴とする、請求項１に記載の鼻鏡。
（請求項３）  ２つのア−ム側に各々突起部を設け、一方、バネ側に当該ア−ム側の突起部に対応できる穴部を設けてバネを脱着可能に構成してなることを特徴とする、請求項１又は２に記載の鼻鏡。
（請求項４）  バネが、円弧状に構成されてなることを特徴とする、請求項１、２又は３に記載の鼻鏡。
（請求項５）  バネが、角状に構成されてなることを特徴とする、請求項１、２又は３に記載の鼻鏡。
【発明の効果】
【０００５】
本願において開示される発明のうち代表的なものによって得られる効果を簡単に説明すれば、下記のとおりである。
すなわち、本発明によれば、合成樹脂製で、安価で、使い捨てにすることができるので、集団検診などでも衛生的で、バネを脱着可能に構成しているので、バネが劣化しそのバネ力が衰えたら新たなバネに交換可能なので、鼻の検診、治療などを行うときの作業性を阻害せず、又、当該鼻鏡の滅菌・消毒に際しては、当該バネを取り外して繰り返し滅菌や煮沸消毒などを行えるので、鼻鏡の分解・組立が容易で、滅菌・消毒が不充分となることがなくなった。
【０００６】
次に、本発明の実施例を図面を参照しつつ説明する。
【実施例】
【０００７】
図１は、本発明の鼻鏡の一実施例の分解構成図で、図２は、同鼻鏡の一実施例の組立構成図である。
図１及び図２に示すように、当該鼻鏡Ｎは、２つのア−ム１ａ、１ｂを備えてなる。
当該２つのア−ム１ａ、１ｂは、それぞれ、手で握る把持部１００ａ、１００ｂと鼻孔の開拡部１０１ａ、１０１ｂとを有してなる。
【０００８】
２つのア−ム１ａ、１ｂは、それぞれピン２の挿着孔１０２ａ、１０２ｂを設け、図１に示すように、当該２つのア−ム１ａ、１ｂの当該ピン２の上下の挿着孔１０２ａ、１０２ｂに、ピン２を挿通させて、一方のア−ム１ｂの下側でワッシャ−２０１を当接してかしめ、当該２つのア−ム１ａ、１ｂを、図２に示すように、当該ピン２の位置を支点（Ｘ）として固定する。
【０００９】
図１及び図２に示すように、当該鼻鏡Ｎは、バネ３を備える。
当該バネ３は、把持部１００ａ、１００ｂの内部で、脱着可能に構成されてなる。
当該バネ３は、図１及び図２に示すように、バネ先端部３０１ａ、３０１ｂとバネ本体部３０２とを備えてなる。
図１及び図２に示すように、２つのア−ム１ａ、１ｂ側に、各々突起部１０００ａ、１０００ｂを設ける。
一方、バネ３側のバネ先端部３０１ａ、３０１ｂに、それぞれ当該ア−ム１ａ、１ｂ側の当該突起部１０００ａ、１０００ｂに対応できる穴部３０１ａ，３０１ｂを設ける。
図２に示すように、バネ３側のバネ先端部３０１ａ、３０１ｂの各穴部３０１ａ，３０１ｂに、２つのア−ム１ａ、１ｂ側の各突起部１０００ａ、１０００ｂを嵌合させると、バネ３が把持部１００ａ、１００ｂの内部に装着される。
当該バネ３側のバネ先端部３０１ａ、３０１ｂの各穴部３０１ａ，３０１ｂと、２つのア−ム１ａ、１ｂ側の各突起部１０００ａ、１０００ｂとの嵌合を解くと、当該バネ３は、当該２つのア−ム１ａ、１ｂから脱すことができる。
【００１０】
図１及び図２では、同図に示すように、当該鼻鏡Ｎにおけるバネ３が、円弧状に構成されてなる実施例を示してあるが、図３及び図４では、当該円弧状のバネ３に代えて、角状のバネ３を用いた実施例を示す。
当該角状のバネ３を用いた実施例は、前記実施例が円弧状のバネ３を用いた以外は同様であり、図３及び図４に示すように、当該鼻鏡Ｎは、手で握る把持部１００ａ、１００ｂと鼻孔の開拡部１０１ａ、１０１ｂとを有してなる２つのア−ム１ａ、１ｂを備え、当該２つのア−ム１ａ、１ｂには、それぞれピン２の挿着孔１０２ａ、１０２ｂを設け、当該２つのア−ム１ａ、１ｂの当該ピン２の上下の挿着孔１０２ａ、１０２ｂに、ピン２を挿通させ、一方のア−ム１ｂの下側でワッシャ−２０１を当接してかしめ、当該２つのア−ム１ａ、１ｂを、図４に示すように、当該ピン２の位置を支点（Ｘ）として固定する。
図３及び図４に示すように、当該角状のバネ３でも、バネ先端部３０１ａ、３０１ｂとバネ本体部３０２とを備えてなり、当該角状のバネ３のバネ先端部３０１ａ、３０１ｂに、穴部３０１ａ，３０１ｂを設ける。
図３及び図４に示すように、２つのア−ム１ａ、１ｂ側に、それぞれ当該ア−ム１ａ、１ｂ側の当該突起部１０００ａ、１０００ｂに対応できる各々突起部１０００ａ、１０００ｂを設ける。
図４に示すように、バネ３側のバネ先端部３０１ａ、３０１ｂの各穴部３０１ａ，３０１ｂに、２つのア−ム１ａ、１ｂ側の各突起部１０００ａ、１０００ｂを嵌合させると、当該角状のバネ３が把持部１００ａ、１００ｂの内部に装着される。
当該バネ３側のバネ先端部３０１ａ、３０１ｂの各穴部３０１ａ，３０１ｂと、２つのア−ム１ａ、１ｂ側の各突起部１０００ａ、１０００ｂとの嵌合を解くと、当該バネ３は、当該２つのア−ム１ａ、１ｂから脱すことができる。
【００１１】
当該鼻鏡Ｎは、合成樹脂製で、当該鼻鏡Ｎを構成する２つのア−ム１ａ、１ｂ、ピン２、ワッシャ−２０１及びバネ３の全てが合成樹脂製である。
本発明の当該鼻鏡Ｎは、合成樹脂製で、使い捨てとすることができる。
当該合成樹脂としては、ポリプロピレンが好ましい。当該ポリプロピレン製鼻鏡Ｎは、耐熱温度が１６０℃以上あり、当該鼻鏡の滅菌・消毒に際して、繰り返し滅菌や煮沸消毒を充分行うことが出来る。
【００１２】
図４により当該鼻鏡Ｎの作用を説明するに、２つのア−ム１ａ、１ｂのそれぞれの把持部１００ａ、１００ｂを手で握り、手に力を込め当該把持部１００ａ、１００ｂを内側に押圧すると、当該２つのア−ム１ａ、１ｂのピン２による固定位置を支点（Ｘ）として、当該２つのア−ム１ａ、１ｂの鼻孔の開拡部１０１ａ、１０１ｂが開拡する。
力を緩めれば、当該２つのア−ム１ａ、１ｂのそれぞれの把持部１００ａ、１００ｂが、当該２つのア−ム１ａ、１ｂの固定位置を支点（Ｘ）として、外側に、元の位置に戻り、それに伴い、鼻孔の開拡部１０１ａ、１０１ｂが、内側の元の位置に戻り、閉じる。
当該開拡部１０１ａ、１０１ｂの先端部側には、外側に凸で内側に凹みを有する鼻孔挿入部１０１０ａ及び１０１０ｂを備え、当該鼻孔の開拡部１０１ａ、１０１ｂの開拡により広がり、一方、当該鼻孔の開拡部１０１ａ、１０１ｂの閉じにより、呼吸のための透通孔Ｈが形成される。
【００１３】
当該鼻鏡Ｎの上記のような機能に関して、バネ３は重要であり、バネ作用が衰えてくると、当該鼻鏡Ｎは使い物にならない。当該バネ３の劣化に対して、本発明では、当該バネ３は、把持部１００ａ、１００ｂの内部で、脱着可能に構成されてなり、しかも、バネ３側のバネ先端部３０１ａ、３０１ｂの各穴部３０１ａ，３０１ｂに、２つのア−ム１ａ、１ｂ側の各突起部１０００ａ、１０００ｂを嵌合させれば、簡単に、バネ３を把持部１００ａ、１００ｂの内部に装着することができ、一方、当該バネ３側のバネ先端部３０１ａ、３０１ｂの各穴部３０１ａ，３０１ｂと、２つのア−ム１ａ、１ｂ側の各突起部１０００ａ、１０００ｂとの嵌合を解けば、当該バネ３を、当該２つのア−ム１ａ、１ｂから容易に脱すことができるので、その脱着も容易で、従来の鼻鏡では、当該バネが、鼻鏡と一体化され固定化されているので、当該煮沸消毒や繰り返し滅菌に際して、当該バネの取り外し、分解・組立が容易に出来ず、滅菌・消毒が不充分となることがあったが、本発明では、脱着が容易なので、当該煮沸消毒や繰り返し滅菌に際して、当該バネの取り外し、分解・組立を容易に出来、滅菌・消毒を充分行うことができ、又、当該バネ３をポリプロピレン等の合成樹脂製とすれば、耐熱温度が１６０℃以上あり、当該鼻鏡の滅菌・消毒に際して、繰り返し滅菌や煮沸消毒を充分行うことが出来る。
【００１４】
本発明は上記実施例に限定されず、適宜変更が可能である。
上記実施例では、ピン２に依る２つのア−ム１ａ、１ｂの固定・支点形成手段を挙げたが、他のネジなどの固定手段を用いてもよい。
【産業上の利用可能性】
【００１５】
本発明は、各種の鼻鏡に適用できる。
【図面の簡単な説明】
【００１６】
【図１】本発明の鼻鏡の一実施例の分解構成図である。
【図２】本発明の鼻鏡の一実施例の組立構成図である。
【図３】本発明の鼻鏡の他の一実施例の分解構成図である。
【図４】本発明の鼻鏡の他の一実施例の組立構成図である。。
【符号の説明】
【００１７】
１ａ…ア−ム
１ｂ…ア−ム
２…ピン
３…バネ
１００ａ…把持部
１００ｂ…把持部
１０１ａ…開拡部
１０１ｂ…開拡部
３０１ａ…穴部
３０１ｂ…穴部
１０００ａ・・・突起部
１０００ｂ・・・突起部
Ｘ…支点
【図１】
2010119455.tif 000003
【図２】
2010119455.tif 000004
【図３】
2010119455.tif 000005
【図４】
2010119455.tif 000006